(57)【要約】      （修正有）【課題】外部からの振動や衝撃による機構部の変形を低減する。【解決手段】ＴＲＶメカの周辺にあるスカートを一部折り曲げて突出部１２０ａを形成し、またはトラバースカバーの周辺に突出部を形成して、ディスクトレイ１３０と僅かな隙間をおいて対向させる。衝撃を受けた際は、この突出部１２０ａがディスクトレイ１３０と接触することで、ＴＲＶメカを大きく変形させないようにする。【選択図】図４ｂ
2010055659.tif 000002
【特許請求の範囲】
【請求項１】
光ディスクを回転させるためのディスクモータと、
該ディスクモータの光ディスクを装着する側に配置され、光ディスクを装置に取付けないし取外す際に、該光ディスクを装置の外部から内部へ、ないし内部から外部へ移動させるためのディスクトレイと、
該ディスクトレイと前記ディスクモータとの間にあって、前記ディスクモータを支持するトラバースとを有する光ディスク装置であって、
前記トラバースの周辺部分にフランジを形成して、該フランジを前記ディスクトレイの底面と対向させたことを特徴とする光ディスク装置。
【請求項２】
光ディスクを回転させるためのディスクモータと、
該ディスクモータの光ディスクを装着する側に配置され、光ディスクを装置に取付けないし取外す際に、該光ディスクを装置の外部から内部へ、ないし内部から外部へ移動させるためのディスクトレイと、
該ディスクトレイと前記ディスクモータとの間にあって、前記ディスクモータを支持するトラバースと、
該トラバースに取付けられて該トラバースの前記ディスクトレイ側を覆うトラバースカバーとを有する光ディスク装置であって、
前記トラバースカバーの周辺部分にフランジを形成して、該フランジを前記ディスクトレイの底面と対向させたことを特徴とする光ディスク装置。
【請求項３】
請求項１または２に記載の光ディスク装置において、該光ディスク装置の底面側を覆うボトムケースと、該ボトムケースと前記トラバースとの間に挿入された弾性体によるダンパーとを有し、前記フランジと前記ディスクトレイの底面との隙間は、前記ダンパーが圧縮時に縮む長さよりも短く設定されたことを特徴とする光ディスク装置。
【発明の詳細な説明】
【技術分野】
【０００１】
本発明は光ディスク装置に係わり、特に外部からの振動や衝撃による機構部の変形を低減することができる、光ディスク装置に関するものである。
【背景技術】
【０００２】
携帯型のＰＣ(Ｐｅｒｓｏｎａｌ  Ｃｏｍｐｕｔｅｒ)、ＤＶＤ(Ｄｉｇｉｔａｌ  Ｖｅｒｓａｔｉｌｅ  Ｄｉｓｃ)カメラ／レコーダ、ＢＤ(Ｂｌｕ−ｒａｙ  Ｄｉｓｃ)カメラ／レコーダなどに搭載される光ディスク装置においては、近年薄型化と軽量化が進んでいる。これは楽に持運ぶために必要な条件ではあるが、同時に外部から振動や衝撃が加わった際の強度不足が問題となる。特に機構部が変形した場合は、光ディスク上のトラックトレース性能をはじめとしたドライブ性能に、大きな影響を及ぼす。
【０００３】
これを解決するために特許文献１では、記録再生ユニットにインシュレータを有する取付け片を備えることで、耐振動衝撃性能を低下させることなく、装置の薄型化を図ることが開示されている。
【０００４】
また特許文献２では、光ピックアップを含むメカユニットが弾性体のストッパーを備え、所定のストローク以上に振動する場合、ストッパーがケースに衝突して振動を減衰させることが開示されている。
【０００５】
【特許文献１】特開２００６−１３４５４３号公報
【特許文献２】実開平５−３６６９５号公報
【発明の開示】
【発明が解決しようとする課題】
【０００６】
前記二つの特許文献にあるように、従来はインシュレータを有する取付け片、弾性体のストッパーなどの部品を追加して、耐振動衝撃性能を確保するようにしている。今後いっそうの薄型化と軽量化を進めるうえでは、新たな部品を追加することなく性能を確保する方法が必要になる。
【０００７】
本発明の目的はこの課題を解決し、耐振動衝撃性能を確保できる光ディスク装置を提供することにあり、特に新たな部品を追加することなく、耐振動衝撃性能を確保できる光ディスク装置を提供することにある。
【課題を解決するための手段】
【０００８】
上記目的を達成するため本発明による光ディスク装置は、光ディスクを回転させるためのディスクモータと、該ディスクモータの光ディスクを装着する側に配置され、光ディスクを装置に取付けないし取外す際に、該光ディスクを装置の外部から内部へ、ないし内部から外部へ移動させるためのディスクトレイと、該ディスクトレイと前記ディスクモータとの間にあって、前記ディスクモータを支持するトラバースとを有する光ディスク装置であって、前記トラバースの周辺部分にフランジを形成して、該フランジを前記ディスクトレイの底面と対向させたことを特徴としている。
【０００９】
また本発明による別な光ディスク装置は、光ディスクを回転させるためのディスクモータと、該ディスクモータの光ディスクを装着する側に配置され、光ディスクを装置に取付けないし取外す際に、該光ディスクを装置の外部から内部へ、ないし内部から外部へ移動させるためのディスクトレイと、該ディスクトレイと前記ディスクモータとの間にあって、前記ディスクモータを支持するトラバースと、該トラバースに取付けられて該トラバースの前記ディスクトレイ側を覆うトラバースカバーとを有する光ディスク装置であって、前記トラバースカバーの周辺部分にフランジを形成して、該フランジを前記ディスクトレイの底面と対向させたことを特徴としている。
【発明の効果】
【００１０】
本発明によれば、耐振動衝撃性能を確保できる光ディスク装置を提供でき、使用中のトラックトレース不良などが少ない、使い勝手の良い光ディスク装置を実現できるという効果がある。
【発明を実施するための最良の形態】
【００１１】
以下、本発明の実施形態について図面を用いながら説明する。
図１は本発明による光ディスク装置の、トラバースメカアセンブリ（以下、ＴＲＶメカと略記する）１の装置の底面側からの平面図を示す。ＴＲＶメカとは、光ディスク装置の記録再生動作に関わる、機構系の最も主要な構成要素を搭載したものであり、光ディスクを回転させるディスクモータ、信号を記録再生する光ピックアップ部とその移動機構を含んでいる。図１（ａ）はＴＲＶメカ１の全体を、（ｂ）はその中でベース部分となるトラバース１００を示す。図１（ａ）の左下部の矢印は、図示していない光ディスクが光ディスク装置へローディングされ、ないしエジェクトされる際に、移動する方向を示す。光ディスクをローディングないしエジェクトする際に、これを搭載して装置の外部から内部へ、ないし内部から外部へ移動させるディスクトレイは図示していないが、図面上でＴＲＶメカ１の奥側にある。ローディング時にディスクトレイに搭載され、装置の外部から内部へ移動された光ディスクは、ディスクモータ１０１の回転軸延長上、図の裏側（装置の上面側）に備えられたクランパに取付けられ、ディスクモータ１０１により回転される。
【００１２】
ディスクモータ１０１は、トラバース１００に対し、たとえば通常のネジなどで構成される保持部１０２ａ、１０２ｂ、１０２ｃにより取付けられている。即ち、ディスクモータ１０１は３点で片支持をされており、装置の外部から振動や衝撃を与えられると、倒れ込みモーメントが発生し、ＴＲＶメカ１自体が変形し移動する場合がある。
【００１３】
光ピックアップ部（以下、ＯＰＵと略記する）１０３は、スライドモータ１０４とその回転軸に直結したスクリュー１０５、およびギア１０６の回転に伴い、ガイド主軸１０７とガイド副軸１０８の上を移動することで、光ディスク上の指定された位置で信号の記録再生を行う。
【００１４】
さきのディスクモータ１０１を４点で支持できれば、倒れ込みモーメントの発生が解消されるが、図１に示すようにディスクモータ１０１の図面上で下側は、ＯＰＵ１０３の移動するスペースとなるので、４点目の保持部を設けることは困難である。
【００１５】
なお、トラバース１００は、ゴムなどを材料とした三箇所のダンパー１０９ａ、１０９ｂ、１０９ｃを介して、図示しないボトムケースへ取付けられている。
【００１６】
本実施例においては、図１（ｂ）に示したように、たとえばトラバース１００の周辺にあるスカート１２０の一部を折り曲げて、突出部１２０ａを形成したことに特徴がある。これに対し従来のトラバース２００は、図２に示すとおり、このフランジを有していない。本実施例では突出部１２０ａが、図示しないディスクトレイの底面と通常は僅かな間隔をおいて対向し、振動や衝撃があった際に互いに接触して、ＴＲＶメカ１が大きく変形し、移動することを防ぐようにしている。
【００１７】
次に図３を用いて、実際に衝撃が加わった時の状況を説明する。図３はＴＲＶメカ１の側面図であり、図１（ａ）の左側から見た場合を示している。１１０は前記した光ディスクを固定するためのクランパである。
衝撃が図中の矢印のように、ディスクモータ１０１の底面側から加わった場合を述べる。前記したとおり、ディスクモータ１０１はトラバース１００に対して、３点で片支持されている。このため衝撃力により倒れ込みモーメントが発生し、同時にＴＲＶメカが上面側（図３では左方向）へ引かれ、ＯＰＵ１０３などの構成要素が動くことになる。これは記録再生動作、トラックトレースの不良を起こし問題となる。
【００１８】
次に図４ａ〜図４ｃを用いて、さきの突出部１２０ａの位置とその役割について説明する。図４ａは本発明による光ディスク装置の底面側からの平面図であり、図１で示したＴＲＶメカ１のほか、その奥側にディスクトレイ１３０が加わっている。図４ａの下部の矢印は、光ディスクをローディングないしエジェクトする際の移動方向を示す。図４ｂはディスクモータ１０１、突出部１２０ａを中心とした部分拡大図であり、図４ｃは図４ｂの破線Ａ−Ｂにおける断面図を拡大したものである。ここで１４０は後記するトラバースカバーである。
【００１９】
突出部１２０ａは図４ａないし図４ｂにおける、図面上で奥側にあるディスクトレイ１３０の底面の一部に対向している。図４ｃの断面図にあるように、突出部１２０ａとディスクトレイ１３０の底面との間には、図中でＸと示した隙間を設ける。本実施例においてこの隙間は、図３で示したような衝撃を受けた際の、前記したダンパー１０９ａ、１０９ｂ、１０９ｃの沈み込み長よりも小さい値に設定する。通常は突出部１２０ａとディスクトレイ１３０との間には前記した隙間があるため、これらが互いに干渉して、光ディスクのローディングやエジェクトなどの動作を妨げることはない。一方、図３で示したような衝撃を受けた際には、衝撃が小さい場合はダンパー１０９ａ、１０９ｂ、１０９ｃの沈み込みで吸収され、ＴＲＶメカに影響を及ぼすことはない。衝撃が大きい場合は、突出部１２０ａとディスクトレイ１３０が直ちに接触するため、ＴＲＶメカ１が大きく移動して変形することを防ぐことができる。またたとえばスライドモータ１０４のような構成要素が、トラバース１００の穴を介して装置の上面側に大きく突出することを防ぐことができる。
【００２０】
次に本発明の別な実施例につき図５と図７を用いて説明する。図５（ａ）は本発明におけるトラバース１００の、ディスクトレイ１３０と対向する側に取付けられるトラバースカバー１４０の平面図である。やはり光ディスク装置の底面側から描いている。図５（ｂ）は図５（ａ）の左側から見た側面図である。本実施例においては、トラバースカバー１４０の周辺の一部を折り曲げて、突出部１４０ａを形成している。このため前記した突出部１２０ａと同様、衝撃が加わった際にこれとディスクトレイ１３０が接触することで、ＴＲＶメカ１が大きく移動して変形することのないようにしている。これに対し従来のトラバースカバー２４０は、図６に示すとおりフランジを有していないので、この作用はない。
【００２１】
図７はこの一実施例における部分断面図を示したものである。さきの図４ｃに対応するものである。ここでは図４ｃの場合とは異なり、トラバース１００のスカート１２０ではなくトラバースカバー１４０に突出部１４０ａが設けられている。その作用については図４ｃの場合と同様であるので、説明を省略する。
【００２２】
突出部１２０ａ、１４０ａが対向し、振動や衝撃のあった際に接触する相手は、必ずしもディスクトレイ１３０に限定するものではない。しかし、ディスクトレイ１３０を有する光ディスク装置においては、ＴＲＶメカ１が大きな面積をもって対向する相手であるディスクトレイ１３０に、突出部１２０ａ、１４０ａを対向させるのが最も容易な場合が多い。
【００２３】
本発明は、以上述べた実施例に限定されるものではない。ＴＲＶメカ１が衝撃によって、大きく移動し変形することを防止できれば良い。
たとえば、図面ではトラバース１００のスカート１２０に設けた場合の突出部１２０ａは、トラバースカバー１４０に設けた場合の突出部１４０ａよりも、幅が狭くなっているが、これは限定条件ではない。突出部１２０ａがトラバース１００の周辺方向に幅広く設けられても良く、突出部１４０ａが図示したものよりもトラバースカバー１４０の周辺方向への幅が狭いものであっても良い。またフランジの数は１つに限らず、トラバース１００ないしトラバースカバー１４０の周辺に複数設けても良い。通常の動作で突出部１２０ａないし１４０ａが、他の構成要素と干渉しない範囲であれば良く、様々な変形例を考えることができる。
【図面の簡単な説明】
【００２４】
【図１】（ａ）本発明の一実施例における光ディスク装置のＴＲＶメカの平面図、（ｂ）はそのトラバースの平面図である。
【図２】従来のトラバースの平面図である。
【図３】ＴＲＶメカの側面図である。
【図４ａ】本発明の一実施例における光ディスク装置の平面図である。
【図４ｂ】図４ａの一部分の拡大図である。
【図４ｃ】図４ｂの一部分の断面図である。
【図５】本発明の別な実施例におけるトラバースカバーを示し、（ａ）は平面図、（ｂ）は側面図である。
【図６】従来のトラバースカバーの平面図である。
【図７】本発明の別な実施例における光ディスク装置の一部分の断面図である。
【符号の説明】
【００２５】
１・・・・・ＴＲＶメカ
１００・・・トラバース
１０１・・・ディスクモータ
１０２・・・ＴＲＶメカの保持部
１０９・・・ダンパー
１２０・・・スカート
１２０ａ・・突出部
１４０・・・トラバースカバー
１４０ａ・・突出部。
【図１】
2010055659.tif 000003
【図２】
2010055659.tif 000004
【図３】
2010055659.tif 000005
【図４ａ】
2010055659.tif 000006
【図４ｂ】
2010055659.tif 000007
【図４ｃ】
2010055659.tif 000008
【図５】
2010055659.tif 000009
【図６】
2010055659.tif 000010
【図７】
2010055659.tif 000011